(57)【要約】【課題】  学校内における教室、設備、備品等に関する情報を、学校側の負担を少なくして、安全に、且つ、一元的に管理し、学校内情報の共有化を図ることができるようにした学校内情報管理システムを提供する。【解決手段】  学校内に配備される学校内コンピュータ２，２…と、業者側に配備される業者コンピュータ３，３…と、システム管理会社に配備される管理会社コンピュータ４，４…とが、学校内情報を記憶するデータベース５を管理するサーバ６にインターネット７を介して接続される学校内情報管理システム１に於いて、前記サーバ６が、データベース管理手段と、Ｗｅｂページ作成手段と、Ｗｅｂページ送信手段と、認証手段と、権限管理制限手段と、Ｗｅｂページ送信手段と、照会手段と、検索手段と、書込手段と、更新手段とを備えている。【選択図】  図１
2006155517.tif 000002
【特許請求の範囲】
【請求項１】
学校内に配備される学校内コンピュータと、業者側に配備される業者コンピュータと、システム管理会社に配備される管理会社コンピュータとが、学校内情報を記憶するデータベースを管理するサーバにインターネットを介して接続される学校内情報管理システムに於いて、
前記サーバが、
前記データベースを管理するデータベース管理手段と、
Ｗｅｂページを作成するＷｅｂページ作成手段と、
前記学校内コンピュータ、管理会社コンピュータ又は業者コンピュータのアクセス要求に応じて認証のためのＷｅｂページを送信する第１のＷｅｂページ送信手段と、
前記学校内コンピュータ、管理会社コンピュータ又は業者コンピュータから認証Ｗｅｂページを介して受信されたＩＤ及び／又はパスワードを認証する認証手段と、
権限管理機能により、前記ＩＤ及び／又はパスワードに基づき、ポータルサイト、Ｗｅｂページ、及び／又は、送信するデータに制限を加える権限管理制限手段と、
ＩＤ及び／又はパスワードが正しく認証された前記学校内コンピュータ、管理会社コンピュータ又は業者コンピュータに前記権限管理制限手段によって制限を加えられたポータルサイト、及び、ポータルサイトに関連付けられたＷｅｂページを送信する第２のＷｅｂページ送信手段と、
前記学校内コンピュータ、管理会社コンピュータ又は業者コンピュータからＷｅｂページを介して受信された照会要求に応じて前記データベースにデータを照会する照会手段と、
前記学校内コンピュータ、管理会社コンピュータ又は業者コンピュータからＷｅｂページを介して受信された検索要求を受信して前記データベース内のデータを検索する検索手段と、
前記学校内コンピュータ、管理会社コンピュータ又は業者コンピュータからＷｅｂページを介して受信した新規データを前記データベースに書込む書込手段と、
前記学校内コンピュータ、管理会社コンピュータ又は業者コンピュータからＷｅｂページを介して受信した更新データに基づき、前記データベースを更新する更新手段と、
前記照会手段によって照会された照会結果、前記検索手段によって検索された検索結果、前記書込手段によって書込みされた書込み結果、及び、前記更新手段によって更新された更新結果、及び／又は前記サーバの処理結果をＷｅｂページに含めて前記学校内コンピュータ、管理会社コンピュータ又は業者コンピュータに送信する第３のＷｅｂページ送信手段と、
を備えることを特徴とする学校内情報管理システム。
【請求項２】
上記管理会社コンピュータは、上記サーバからデータをダウンロードして、進捗管理のための一覧表を作成する進捗管理手段を備えていることを特徴とする請求項１記載の学校内情報管理システム。
【請求項３】
上記管理会社コンピュータは、上記サーバが作成するＷｅｂページを更新するためのＷｅｂページ更新手段を備えていることを特徴とする請求項１又は２記載の学校内情報管理システム。
【発明の詳細な説明】
【技術分野】
【０００１】
本発明は、学校内情報管理システムに関し、特に、大学等の学校内における教室、設備、備品等に関する学校内情報を一元的に管理して、学校内情報の共有化を図ることができるようにした学校内情報管理システムに関する。
【背景技術】
【０００２】
近年、大学等の学校内に於ける設備運用は、備品の貸し出し、円滑な講義のサポートから保守メンテナンスまで、幅広く、常に的確な運営業務が要求されている。
【０００３】
しかし、一般的には例えば設備運用等に関する新規事項、又は、変更事項が発生した時、その資料やデータが一元的に整理され管理されることが少なく、例えば、「どこの部屋の何の機器は、どこのメンテナンス業者に依頼しなくてはならなくて、以前はどのくらいの費用がかかったか」等、毎年繰り返されるメンテナンス、或いは、改修、新規設備発注の発生時や、予算申請時にそれらの資料やデータを膨大な資料の中から探しださなくてはならないという問題があった。
【０００４】
そこで、学校内における教室、設備、備品等に関する情報を一元的に管理して、学校内情報の共有化を図ることができるようにした学校内情報管理システムが望まれるが、まだ、一般的に普及していない。
【０００５】
尚、備品を管理するシステムとして特許文献１が公開されており、それによると、組織内で使用する事務用品等の備品管理に際して、備品を所定の管理領域内で集中管理するとともに、組織の各構成員に支給した備品を少なくとも支給された構成員の所属部署ごとに登録し集計可能な備品管理システムが記載されており、更に、このシステムを利用して、環境保全に役立つ備品の利用促進を図り得るようにするというものである。
【特許文献１】特開２００２−７３８９７号公報
【発明の開示】
【発明が解決しようとする課題】
【０００６】
前述したように、学校内における教室、設備、備品等に関する情報を一元的に管理して、学校内情報の共有化を図ることができるようにした学校内情報管理システムは、まだ、一般的に普及していない。
【０００７】
又、特許文献１には備品管理システムについて記載されているが、学校内における教室、設備、備品等に関する情報を一元的に管理するものではない。
以上の現状に鑑み、本発明は、学校内における教室、設備、備品等に関する情報を、学校側の負担を少なくして、安全に、且つ、一元的に管理し、学校内情報の共有化を図ることができるようにした学校内情報管理システムを提供することを目的とする。
【課題を解決するための手段】
【０００８】
上記の課題を解決すべく、本発明は以下の構成を提供する。
請求項１に係る発明は、学校内に配備される学校内コンピュータと、業者側に配備される業者コンピュータと、システム管理会社に配備される管理会社コンピュータとが、学校内情報を記憶するデータベースを管理するサーバにインターネットを介して接続される学校内情報管理システムに於いて、前記サーバが、前記データベースを管理するデータベース管理手段と、Ｗｅｂページを作成するＷｅｂページ作成手段と、前記学校内コンピュータ、管理会社コンピュータ又は業者コンピュータのアクセス要求に応じて認証のためのＷｅｂページを送信する第１のＷｅｂページ送信手段と、前記学校内コンピュータ、管理会社コンピュータ又は業者コンピュータから認証Ｗｅｂページを介して受信されたＩＤ及び／又はパスワードを認証する認証手段と、権限管理機能により、前記ＩＤ及び／又はパスワードに基づき、ポータルサイト、Ｗｅｂページ、及び／又は、送信するデータに制限を加える権限管理制限手段と、ＩＤ及び／又はパスワードが正しく認証された前記学校内コンピュータ、管理会社コンピュータ又は業者コンピュータに前記権限管理制限手段によって制限を加えられたポータルサイト、及び、ポータルサイトに関連付けられたＷｅｂページを送信する第２のＷｅｂページ送信手段と、前記学校内コンピュータ、管理会社コンピュータ又は業者コンピュータからＷｅｂページを介して受信された照会要求に応じて前記データベースにデータを照会する照会手段と、前記学校内コンピュータ、管理会社コンピュータ又は業者コンピュータからＷｅｂページを介して受信された検索要求を受信して前記データベース内のデータを検索する検索手段と、前記学校内コンピュータ、管理会社コンピュータ又は業者コンピュータからＷｅｂページを介して受信した新規データを前記データベースに書込む書込手段と、前記学校内コンピュータ、管理会社コンピュータ又は業者コンピュータからＷｅｂページを介して受信した更新データに基づき、前記データベースを更新する更新手段と、前記照会手段によって照会された照会結果、前記検索手段によって検索された検索結果、前記書込手段によって書込みされた書込み結果、及び、前記更新手段によって更新された更新結果、及び／又は前記サーバの処理結果をＷｅｂページに含めて前記学校内コンピュータ、管理会社コンピュータ又は業者コンピュータに送信する第３のＷｅｂページ送信手段と、を備えることを特徴とする学校内情報管理システムを提供するものである。
【０００９】
請求項２に係る発明は、上記管理会社コンピュータは、上記サーバからデータをダウンロードして、進捗管理のための一覧表を作成する進捗管理手段を備えていることを特徴とする請求項１記載の学校内情報管理システムを提供するものである。
【００１０】
請求項３に係る発明は、上記管理会社コンピュータは、上記サーバが作成するＷｅｂページを更新するためのＷｅｂページ更新手段を備えていることを特徴とする請求項１又は２記載の学校内情報管理システムを提供するものである。
【発明の効果】
【００１１】
本発明の請求項１記載の発明によれば、学校内に配備される学校内コンピュータと、業者側に配備される業者コンピュータと、システム管理会社に配備される管理会社コンピュータとが、学校内情報を記憶するデータベースを管理するサーバにインターネットを介して接続される学校内情報管理システムに於いて、前記サーバが、前記データベースを管理するデータベース管理手段と、Ｗｅｂページを作成するＷｅｂページ作成手段と、前記学校内コンピュータ、管理会社コンピュータ又は業者コンピュータのアクセス要求に応じて認証のためのＷｅｂページを送信する第１のＷｅｂページ送信手段と、前記学校内コンピュータ、管理会社コンピュータ又は業者コンピュータから認証Ｗｅｂページを介して受信されたＩＤ及び／又はパスワードを認証する認証手段と、権限管理機能により、前記ＩＤ及び／又はパスワードに基づき、ポータルサイト、Ｗｅｂページ、及び／又は、送信するデータに制限を加える権限管理制限手段と、ＩＤ及び／又はパスワードが正しく認証された前記学校内コンピュータ、管理会社コンピュータ又は業者コンピュータに前記権限管理制限手段によって制限を加えられたポータルサイト、及び、ポータルサイトに関連付けられたＷｅｂページを送信する第２のＷｅｂページ送信手段と、前記学校内コンピュータ、管理会社コンピュータ又は業者コンピュータからＷｅｂページを介して受信された照会要求に応じて前記データベースにデータを照会する照会手段と、前記学校内コンピュータ、管理会社コンピュータ又は業者コンピュータからＷｅｂページを介して受信された検索要求を受信して前記データベース内のデータを検索する検索手段と、前記学校内コンピュータ、管理会社コンピュータ又は業者コンピュータからＷｅｂページを介して受信した新規データを前記データベースに書込む書込手段と、前記学校内コンピュータ、管理会社コンピュータ又は業者コンピュータからＷｅｂページを介して受信した更新データに基づき、前記データベースを更新する更新手段と、前記照会手段によって照会された照会結果、前記検索手段によって検索された検索結果、前記書込手段によって書込みされた書込み結果、及び、前記更新手段によって更新された更新結果、及び／又は前記サーバの処理結果をＷｅｂページに含めて前記学校内コンピュータ、管理会社コンピュータ又は業者コンピュータに送信する第３のＷｅｂページ送信手段と、を備える学校内情報管理システムを提供するので、学校内における教室、設備、備品等に関する情報を、安全、且つ、一元的に管理し、学校内情報の共有化を図ることができると共に、サーバが管理会社コンピュータ、及び、業者コンピュータからも、新規データ、及び、更新データを受信することにより、学校側の新規データ、及び、更新データ作成の負担を少なくすることができる。
【００１２】
請求項２に係る発明は、上記管理会社コンピュータは、上記サーバからデータをダウンロードして、進捗管理のための一覧表を作成する進捗管理手段を備えているので、請求項１記載の発明の効果に加え、管理会社コンピュータによって、データ入力、及び、データ更新等の進捗管理が行えると共に、特に、業者コンピュータの入力状況の進捗管理が可能となる。
【００１３】
請求項３に係る発明は、上記管理会社コンピュータは、上記サーバが作成するＷｅｂページを更新するためのＷｅｂページ更新手段を備えているので、請求項１又は２記載の発明の効果に加え、管理会社コンピュータによって、Ｗｅｂページの更新が可能となる。
【発明を実施するための最良の形態】
【００１４】
以下、実施例を示した図面を参照しつつ本発明の実施の形態を説明する。
図１に於いて、１は本発明の学校内情報管理システムを示し、学校内情報管理システム１は、学校内に配備される１又は複数の学校内コンピュータ２，２…と、業者側に配備される１又は複数の業者コンピュータ３，３…と、システム管理会社に配備される１又は複数の管理会社コンピュータ４，４…とが、学校内情報を記憶するデータベース５を管理するサーバ６にインターネット７を介して接続されている。
【００１５】
そして、前記サーバ６は、図２に示す如く、前記データベースを管理するデータベース管理手段８と、Ｗｅｂページを作成するＷｅｂページ作成手段９と、前記学校内コンピュータ２、管理会社コンピュータ４又は業者コンピュータ３のアクセス要求に応じて認証のためのＷｅｂページを送信する第１のＷｅｂページ送信手段１０と、前記学校内コンピュータ２、管理会社コンピュータ４又は業者コンピュータ３から認証Ｗｅｂページを介して受信されたＩＤ及び／又はパスワードを認証する認証手段１１と、権限管理機能により、前記ＩＤ及び／又はパスワードに基づき、ポータルサイト、Ｗｅｂページ、及び／又は、送信するデータに制限を加える権限管理制限手段１２と、ＩＤ及び／又はパスワードが正しく認証された前記学校内コンピュータ２、管理会社コンピュータ４又は業者コンピュータ３に対し、前記権限管理制限手段１２によって制限を加えられたポータルサイト、及び、ポータルサイトに関連付けられたＷｅｂページを送信する第２のＷｅｂページ送信手段１３とを備えている。
【００１６】
又、前記サーバ６は、前記学校内コンピュータ２、管理会社コンピュータ４又は業者コンピュータ３からＷｅｂページを介して受信された照会要求に応じて前記データベース５にデータを照会する照会手段１４と、前記学校内コンピュータ２、管理会社コンピュータ４又は業者コンピュータ３からＷｅｂページを介して受信された検索要求を受信して前記データベース内のデータを検索する検索手段１５と、前記学校内コンピュータ２、管理会社コンピュータ４又は業者コンピュータ３からＷｅｂページを介して受信した新規データを前記データベース５に書込む書込手段１６と、前記学校内コンピュータ２、管理会社コンピュータ４又は業者コンピュータ３からＷｅｂページを介して受信した更新データに基づき、前記データベース５を更新する更新手段１７と、前記照会手段１４によって照会された照会結果、前記検索手段１５によって検索された検索結果、前記書込手段１６によって書込みされた書込み結果、及び、前記更新手段１７によって更新された更新結果、及び／又は前記サーバ６の処理結果をＷｅｂページに含めて前記学校内コンピュータ２、管理会社コンピュータ４又は業者コンピュータ３に送信する第３のＷｅｂページ送信手段１８とを備えている。
【００１７】
又、図３に示す如く、前記管理会社コンピュータ４は、前記サーバ６からデータをダウンロードして、進捗管理のための一覧表を作成する進捗管理手段１９を備え、且つ、サーバ６が作成するＷｅｂページを更新するためのＷｅｂページ更新手段２０を備えている。
【００１８】
図４は前記Ｗｅｂページ作成手段９によって作成されるＷｅｂページの構成の一例を示す。トップページであるキャンパスポータルサイト２１にコアシステム２２として教室案内２３、設備管理２４、修理依頼２５、外部接続２６、外部接続２７、管理画面２８のＷｅｂページがリンクしており、教室案内２３には教室詳細情報２９のＷｅｂページがリンクし、教室詳細情報２９に備品案内３０、修理情報３１のＷｅｂページがリンクしている。
【００１９】
設備管理２４には、完成日・改修日データ３２、ワイヤレスｃｈプラン３３、教室管理情報３４のＷｅｂページがリンクしており、教室管理情報３４には教室各種設定データなど３５、クレーム履歴３６のＷｅｂページがリンクしている。
【００２０】
修理依頼２５には、見積３７、発注・作業依頼３８、修理報告３９、修理履歴４０のＷｅｂページがリンクしており、外部接続２６には、業者入力管理画面４１のＷｅｂページがリンクしており、業者入力管理画面４１にデータベース４２のＷｅｂページがリンクしている。
【００２１】
外部接続２７には、業者入力４３のＷｅｂページがリンクしており、業者入力４３には、完成図書入力４４、取扱説明書入力４５、見積入力４６、報告入力４７、マスター登録４８のＷｅｂページがリンクしている。
【００２２】
そして、管理画面２７には、システム基本設定４９、画面設定５０、権限設定５１、業者マスター５２のＷｅｂページがリンクしている。
前述した各Ｗｅｂページは、前記学校内コンピュータ２，２…、業者コンピュータ３，３…、管理会社コンピュータ４，４…から、権限管理機能により、制限された範囲内に於いて、閲覧可能であり、又、照会、検索、新規データ入力、データ更新が可能である。
【００２３】
図５は前記キャンパスポータルサイト２１のコアシステム２２に追加できるオプションを示し、例えばオプションＡ５３、オプションＢ５４、オプションＣ５５等を追加した一例を示す。
【００２４】
これによって、例えば、オプションＡ５３として施設予約５６、メンテナンス年間報告５７、帳票出力５８の閲覧が可能であり、オプションＢ５４として年度予算作成支援５９、メンテナンス経費６０、改修履歴６１の閲覧が可能であり、オプションＣ５５として他設備６２の閲覧が可能である。
【００２５】
更に、それらのＷｅｂページから、詳細なデータ内容を示すＷｅｂページにリンク可能であり、閲覧できる。又、それらの閲覧に加え、照会、検索、新規データ入力、データ更新も可能である。
尚、前述の各Ｗｅｂページの構成は一例であって、目的に応じて任意の構成が可能である。
【００２６】
又、前記Ｗｅｂページは、文字、画像、写真、動画、音等で構成され、適宜、ＩＤ及び／又はパスワード入力画面、閲覧用の画面、照会入力画面、検索入力画面、新規データ入力画面、更新データ入力画面、それらの入力を受け付けた受付画面、それらの入力に対し処理を行った結果を示す回答画面等として表示される。
【００２７】
図６はサーバ６と学校内コンピュータ２とのとの間に行われる処理手順を示し、図１、図２及び図４を合わせ用いて図６の処理手順を説明する。
最初に、学校内コンピュータ２にサーバ６にアクセスするためのＵＲＬを入力して送信すると（ステップＳ１）、サーバ６は第１のＷｅｂページ送信手段１０によって学校内コンピュータ２に認証ページを送信し（ステップＳ２）、学校内コンピュータ２にＩＤ及び／又はパスワードを入力してサーバ６に送信すると（ステップＳ３）、サーバ６の認証手段１１によって予め登録されたＩＤ及び／又はパスワードとの照合による認証が行われ（ステップＳ４）、認証が正しく行われると、権限管理制限手段１２によってキャンパスポータルサイト２１にＩＤ及び／又はパスワードに基づく権限管理制限がかけられ（ステップＳ５）、制限がかけられたキャンパスポータルサイト２１が第２のＷｅｂページ送信手段１４によって学校内コンピュータ２に送信される（ステップＳ６）。
【００２８】
制限がかけられたキャンパスポータルサイト２１はキャンパスポータルサイト２１内の表示内容に制限がかけられ、キャンパスポータルサイト２１に含まれるリンク先についても制限がかけられる。
【００２９】
学校内コンピュータ２で受信したキャンパスポータルサイト２１内にリンクされている任意のＷｅｂページを選択してそのＵＲＬを送信すると（ステップＳ７）、サーバ６はその選択ページを送信する（ステップＳ８）。
【００３０】
そして、学校内コンピュータ２でその選択ページを受信し、その受信した選択ページを閲覧することができ（ステップＳ９）、又、選択ページにリンクされた他のＷｅｂページも閲覧することができる。そして、選択ページ、又は、選択ページにリンクされたＷｅｂページに、適宜、照会データ入力、検索データ入力、新規データ入力、更新データ入力を行える入力欄が組み込まれており、その入力欄によって、照会データ入力、検索データ入力、新規データ入力、更新データ入力を行うことができる（ステップＳ１０）。
【００３１】
サーバ６は、学校内コンピュータ２から送信された照会データ、検索データ、新規データ、又は、更新データに基づき、データベース管理手段８に管理されるデータベース５に対し、照会手段１４、検索手段１５、書込手段１６、更新手段１７によって、夫々、照会、検索、新規データ書込み、データ更新を行い（ステップＳ１１）、その処理結果を、学校内コンピュータ２に送信する（ステップＳ１２）。尚、サーバ６から、照会データ入力、検索データ入力、新規データ入力、又は、更新データ入力の入力を受け付けたことを知らせる受付画面を別途送信することも可能である。
【００３２】
学校内コンピュータ２はその処理結果を受信して閲覧することができ（ステップＳ１３）、更に、ステップＳ９に於ける前記選択ページ、又は、ステップＳ７に於ける前記キャンパスポータルサイト２１に戻って同様の処理を繰り返すことができる。
【００３３】
尚、前記権限管理制限手段１２によって、前記ステップＳ８及び／又はステップＳ１２で送信するｗｅｂページ及びその中に含まれるデータに制限をかけて、データの漏洩及び不当な書込み、不当な更新等を防止することも可能である。
【００３４】
図７はサーバ６と管理会社コンピュータ４との間で行われる処理手順を示し、前述した図６に示すサーバ６と学校内コンピュータ２との間で行われる処理手順の学校内コンピュータ２に代えて管理会社コンピュータ４としたものであり、処理手順の図７中の各ステップＳ２１〜Ｓ３３は、図６の各ステップＳ１〜Ｓ１３と同様の処理であるため、その説明を省略する。
【００３５】
図８はサーバ６と業者コンピュータ３との間で行われる処理手順を示し、前述した図６に示すサーバ６と学校内コンピュータ２との間で行われる処理手順の学校内コンピュータ２に代えて業者コンピュータ３としたものであり、図８に示す処理手順の各ステップＳ４１〜Ｓ５３は、図６の各ステップＳ１〜Ｓ１３と同様の処理であるため、その説明を省略する。
【００３６】
斯くして、前記学校内情報管理システム１は、学校内における教室、設備、備品等に関する情報を、一元的に管理し、学校内情報の共有化を図ることができると共に、サーバが管理会社コンピュータ４、及び、業者コンピュータ３からも、新規データ、及び、更新データを受信できることにより、学校内コンピュータ２及びサーバ６の新規データ、及び、更新データ作成の負担を少なくすることができる。又、前記権限管理制限手段１２によってＩＤ及び／又はパスワードに基づく権限管理制限を行うことにより情報の漏洩、不当な書込み、不当な更新等を防止し、情報の安全化を図ることができる。
【００３７】
図９は前記学校内情報管理システム１に於いて、サーバ６と管理会社コンピュータ４との間で行われる他の処理手順を示し、前述した図７の処理手順のうちのステップＳ３０〜Ｓ３３に代えてステップＳ６１〜Ｓ６５としたものである。
【００３８】
ステップＳ２９で閲覧する所定の選択ページ、又は、選択ページにリンクされる所定のＷｅｂページに、入力データダウンロード要求、又は、Ｗｅｂページデータダウンロード要求を行える要求欄が組み込まれており、その要求欄によって、入力データダウンロード要求、又は、Ｗｅｂページデータダウンロード要求を行うことができる（ステップＳ６１）。
【００３９】
それにより、サーバ６は該当するデータを管理会社コンピュータ４にデータ送信し（ステップＳ６２）、管理会社コンピュータ４はデータをダウンロードする（ステップＳ６３）。
【００４０】
そして、管理会社コンピュータ４は、ダウンロードしたデータに基づき、進捗管理手段１８によって進捗一覧表を作成し、或いは、Ｗｅｂページ更新手段１９によってＷｅｂページデータの変更を行い（ステップＳ６４）、進捗一覧表、又は、変更Ｗｅｂページデータをサーバ６に送信する（ステップＳ６５）。尚、管理会社コンピュータ４は作成した進捗一覧表を記憶して、進捗一覧表に基づき、進捗管理を行う。
サーバ６は受信した進捗一覧表を記憶し、或いは変更されたＷｅｂページデータに基づき、前記Ｗｅｂページ作成手段９によってＷｅｂページを変更する。
【００４１】
尚、図９に示す処理手順はＷｅｂページ、インターネットを用いることなく、例えば、ＬＡＮ、イントラネット、専用線を用いて行うように構成することも可能である。
【００４２】
斯くして、前記管理会社コンピュータ４は、進捗管理のための一覧表を作成する進捗管理手段１９を備えているので、管理会社コンピュータ４によって、データ入力、及び、データ更新等の進捗管理が行えると共に、特に、業者コンピュータの入力状況の進捗管理が可能となる。
【００４３】
又、前記管理会社コンピュータ４は、前記サーバ６が作成するＷｅｂページを更新するＷｅｂページ更新手段２０を備えているので、管理会社コンピュータ４によって、Ｗｅｂページの更新が可能となる。これによって、管理会社コンピュータ４により進捗管理、Ｗｅｂページ更新の一部又は全部の作業を負担することが可能となり、学校内コンピュータ２、又は、サーバ６の作業負担を軽減することができる。
【図面の簡単な説明】
【００４４】
【図１】本発明による学校内情報管理システムを概略的に示す説明図である。
【図２】本発明のサーバの機能の一部を概略的に示す説明図である。
【図３】本発明の管理会社コンピュータの機能の一部を概略的に示す説明図である。
【図４】本発明のキャンパスポータルサイトと、キャンパスポータルサイトにリンクされるコアシステムのＷｅｂページのツリー図である。
【図５】本発明のキャンパスポータルサイトと、キャンパスポータルサイトにリンクされるオプションのＷｅｂページのツリー図である。
【図６】本発明のサーバと学校内コンピュータとの間で行われる処理手順の説明図である。
【図７】本発明のサーバと管理会社コンピュータとの間で行われる処理手順の説明図である。
【図８】本発明のサーバと業者コンピュータとの間で行われる処理手順の説明図である。
【図９】本発明のサーバと管理会社コンピュータとの間で行われる他の処理手順の説明図である。
【符号の説明】
【００４５】
１  学校内情報管理システム
２  学校内コンピュータ
３  業者コンピュータ
４  管理会社コンピュータ
５  データベース
６  サーバ
７  インターネット
８  データベース管理手段
９  Ｗｅｂページ作成手段
１０  第１のＷｅｂページ送信手段
１１  認証手段
１２  権限管理制限手段
１３  第２のＷｅｂページ送信手段
１４  照会手段
１５  検索手段
１６  書込手段
１７  更新手段
１８  第３のＷｅｂページ送信手段
１９  進捗管理手段
２０  Ｗｅｂページ更新手段
【図１】
2006155517.tif 000003
【図２】
2006155517.tif 000004
【図３】
2006155517.tif 000005
【図４】
2006155517.tif 000006
【図５】
2006155517.tif 000007
【図６】
2006155517.tif 000008
【図７】
2006155517.tif 000009
【図８】
2006155517.tif 000010
【図９】
2006155517.tif 000011